(57)【要約】本発明の目的は、ローラー型モップを提供することである。前記ローラー型モップは、円柱状の棒（１００）、織物装置（１３０）が回転するために前記棒（１００）の下端に装着されたモップ駆動装置（１２０）、および、モップ駆動装置（１２０）に着脱可能な状態で装着された織物装置（１３０）を有する。ローラー型モップは、モップ駆動装置（１２０）の駆動側ベベルギア（１２２）の歯（１２２ｂ）の上面が互いに接合していて、駆動側ベベルギア（１２２）の歯（１２２ｂ）の間に織物（１３４）が巻き込まれるのを防止するように構成されている。
2005528191.tif 000002
【特許請求の範囲】
【請求項１】
円柱状の棒、前記棒の下端に装着されたモップ駆動装置、および、前記モップ駆動装置に着脱可能な状態で装着されていて、前記モップ駆動装置によって回転する織物装置を有するローラー型モップであって、
前記モップ駆動装置が、
前記織物装置によって洗浄される面に平行に配置される円柱状の駆動側ベベルギアと、
上部で前記駆動側ベベルギアを支持し、前記駆動側ベベルギアを前記円柱状の棒の回転によって回転させる支持装置と、
前記支持装置の下部の中心部位を水平に通り抜ける回転軸部と、
前記回転軸部の両側に各々外接し、各々が、一方の端部に前記駆動側ベベルギアと噛み合うことによって駆動側ベベルギアと連動して操作される被駆動側ベベルギアを持ち、他方の端部にスロットを有する一対の回転シリンダーとを有し、
前記織物装置が、
ネジ本体の中心に沿って形成された装着孔によって、各々の前記回転シリンダーの外周に装着される円柱状のネジ本体と、
前記ネジ本体の外周に取り付けられた織物とを有し、
前記駆動側ベベルギアが複数の歯を有し、前記歯の上面が互いに連結していて、前記歯の間に織物が巻き込まれるのを防止する
ローラー型モップ。
【請求項２】
請求項１に係るローラー型モップであって、
前記ネジ本体が、各々が溝を有する複数の環状リブを有し、前記環状リブは、等間隔でネジ本体の外周に配置されていて、一方で、長い形状の織物が、前記ネジ本体の周囲に螺旋状に巻き付くことによって、前記ネジ本体に取り付けられていて、且つ、
前記支持装置が、その上端の中心に固定孔を有し、
円柱状の前記駆動側ベベルギアが前記支持装置の上部に嵌め込まれて、ワッシャーが、駆動側ベベルギアの上端に配置された後に、ロック用ネジが前記固定孔に締め付けられて、
前記駆動側ベベルギアが、支持装置へ回転できる状態で連結される
ローラー型モップ。
【請求項３】
請求項１または２に係るローラー型モップであって、各々の前記回転軸部の両端を切断して切込片が形成されて、前記切込片が曲げられて、各々の前記回転シリンダーの前記スロットの内側端部に設置されている
ローラー型モップ。
【請求項４】
請求項１または２に係るローラー型モップであって、
各々の前記回転シリンダーが、被駆動側ベベルギアに隣接するステップを有し、前記ステップは向かい合う場所に一対の固定溝を有し、且つ、
各々のネジ本体が、その内壁に一対の突出部を有し、
各々の前記突出部が、各々の前記固定溝と噛み合う
ローラー型モップ。
【請求項５】
請求項４に係るローラー型モップであって、
各々の前記回転シリンダーのステップの定位置に装備されたロック用凸部と、
ネジ本体の定位置に装備されて、上記ロック用凸部を収容するロック用凹部とを、
さらに有するローラー型モップ。
【請求項６】
請求項１または２に係るローラー型モップであって、
ロック用部材を収容するためにネジ本体の定位置に装備された少なくとも一つの織物保持孔を、さらに有し、
前記織物保持孔の上に織物の先端が置かれて、且つ、パッキングが前記織物の先端の上面に置かれた後、前記ロック用部材が、前記織物保持孔内に締め付けられるローラー型モップ。
【請求項７】
請求項１または２に係るローラー型モップであって、
回転軸部の両端は、回転シリンダーの外に延びていて、各々の回転軸部の両端の向かい合う場所を切断して、切込片を形成していて、
前記織物装置が、各々の回転シリンダーの外周に装着されていて、且つ、
前記切込片が曲げられて、前記切込片を収容するネジ本体の定位置に設けられた台座に設置されることによって、
前記織物装置が前記回転軸部に固定される
ローラー型モップ。
【請求項８】
請求項７に係るローラー型モップであって、各々のネジ本体の両端に提供される環状リブの間に形成された溝は、ネジ本体の残部に提供される環状リブの間に形成される溝よりも深いローラー型モップ。
【請求項９】
請求項１に係るローラー型モップであって、駆動側ベベルギアが、
下部から上部に向かって先細テーパになっていて、前記駆動側ベベルギアの上端に形成された複数のスロットが装備されている上方端部と、
複数の前記スロットの下に位置し、前記駆動側ベベルギアの外周に装備されている雄ネジ部とを有し、
前記駆動側ベベルギアの中心に円柱状の棒が挿入されていて、前記棒が、前記雄ネジ部と噛み合う雌ネジ部を内部に有する固定装置を用いて、前記駆動側ベベルギアと組み合わされているローラー型モップ。
【請求項１０】
請求項９に係るローラー型モップであって、駆動側ベベルギアの中心に装備される連結パイプを、さらに有し、
前記連結パイプが、
前記支持装置の棒状の上部を前記連結パイプ内に挿入した後に、前記支持装置の上部に装備された固定孔に締め付けられるボルトと、前記ボルトおよび前記連結パイプの間に介在しているワッシャーおよびバネとを用いて固定されているローラー型モップ。
【請求項１１】
請求項１または９に係るローラー型モップであって、各々の回転シリンダーと、対応する各被駆動側ベベルギアとの間にバネを介在させた後、回転軸部が、各々の回転シリンダーに連結されているローラー型モップ。
【発明の詳細な説明】
【技術分野】
【０００１】
本発明は、一般には、ローラー型モップに係り、さらに詳しくは、モップが回転する際に織物がベベルギアに巻き込まれるのを防止して、ローラー型モップを構成するいくつかの部品の連結力を強めるローラー型モップに関する。
【背景技術】
【０００２】
一般に、モップは床掃除用道具である。モップは、種々の織物が長い棒の端部に連結されているので、使用者は直立した状態で床掃除ができる。モップは不快な姿勢での洗浄による不都合を解消するために、開発されている。
【０００３】
モップは、概して、住宅の床を掃除する家庭用の床用モップと、オフィスや教室などの床を掃除する糸モップ(string mop)とに分類される。従来の家庭用の床用モップは以下のような構造を有する。前記家庭用の床用モップは、長い棒と柄を有していて、織物支持パッドが、前記長い棒の下部に回転可能な状態で連結している。そして、前記織物支持パッドの上の複数の留め具を用いて、前記織物支持パッドの上に、織物が装備されている。
【０００４】
前記家庭用の床用モップの織物支持パッドは平坦であるので、織物全体が、掃除中に同時に汚れてしまう。従って、従来の家庭用の床用モップは、織物を度々新しい織物と取り替えて、汚れを落とさなければならないという問題を有していた。汚れた織物を新しい織物と取り替えるためには、複数の留め金を外して、汚れた織物を織物支持パッドから取り外した後に、新しい織物を取り付けるために複数の留め金を留めなければならず、この間、使用者は屈まなければならなかった。従って、従来の家庭用の床用モップの他の問題は、汚れた織物を新しい織物と取り替えるのが煩雑であるという点にある。
【０００５】
使用者が、物の間のスペースあるいは、物の下のスペースなどの狭いスペースを掃除するのは、織物支持パッドの幅が広いために、困難であった。従って、従来の家庭用の床用モップの更なる問題は、使用者が狭いスペースを洗浄するために屈まなければならない点にあって、これは、使用者にとって不都合であった。
【０００６】
これらのような問題を解消するために、ローラー型モップが提案されている。これらは、本発明の出願者によって出願されて、韓国実用新案公開公報第２０００−０００２２８３号および韓国実用新案登録第２０−０２０１７５８号に開示されている。
【０００７】
上記ローラー型モップは、装備される織物装置が、容易に回転できるように設計されている。従って、織物装置の織物が汚れると、織物装置を回転させて、織物の汚れた部位を清潔な部位と取り替えることによって、使用者がスペースを効果的に掃除できるようにした。さらに、前記織物は、度々新しい織物と取り替えて汚れを落とす必要がない。また、ローラー型モップは、織物を棒に容易に着脱可能な状態で連結できて、使用者が小さなスペースを容易に掃除できる点で、有益である。
【０００８】
図１は、本発明者によって開示された、従来のローラー型モップの重要構成部品を示す分解斜視図である。図１に示すように、前記ローラー型モップは、棒１０を有していて、その上端には、柄が装備されている。モップ駆動装置２０は、棒１０の下部に装備されている。一対の織物装置３０は、モップ駆動装置２０に個々に装備されている。
【０００９】
モップ駆動装置２０は、駆動側ベベルギア２２を有している。前記駆動側ベベルギア２２は、織物装置３０が掃除する面に平行に配置されている。支持装置２４は、その上部で駆動側ベベルギア２２を支持することによって、棒１０の回転と共に前記駆動側ベベルギア２２を回転させる。回転軸部２６は、支持装置２４の下部の中心部位を水平に通り抜ける。
【００１０】
図２ａは、従来のローラー型モップにおけるモップ駆動装置２０を示す分解斜視図である。図２ａに示すように、支持装置２４の上部は棒状になっていて、駆動側ベベルギア２２の連結パイプ２２ａに挿入される。さらに、スロット２４ａおよびステップ２４ｂは、支持装置２４の上端に一体となって装備されている。この場合、スロット２４ａが伸縮性を有するので、駆動側ベベルギア２２が、支持装置２４の上に容易に嵌め込まれる。ステップ２４ｂは、駆動側ベベルギア２２が支持装置２４から外れるのを防止している。連結パイプ２２ａが、円柱状の駆動側ベベルギア２２の中心部に配置されて、複数の歯２２ｂが駆動側ベベルギア２２の下端の外周に装備されている。
【００１１】
一対の回転シリンダー２８は、両端の回転軸部２６に、各々外接していて、駆動側ベベルギア２２と連動して操作されて、回転力を織物装置３０に伝動する（図１参照）。被駆動側ベベルギア２５および２５’は、各々の回転シリンダー２８の一方の端部に装備されて、駆動側ベベルギア２２と噛み合う。さらに、一対の固定溝２８ｄが、ステップ２８ｃの向かい合う場所に形成される。前記ステップ２８ｃは、各々の被駆動側ベベルギア２５および２５’が隣接する場所に装備されていて、織物装置３０が、対応する各回転シリンダー２８から外されるのを防止する。さらに、スロット２８ａが、各々の回転シリンダー２８の他方の端部に装備されているので、各々の織物装置３０が、対応する各回転シリンダー２８に容易に装着される。各々の回転シリンダー２８は、さらに、前記他方の端部にロック用突出部２８ｂを有していて、各々の織物装置３０が、対応する各回転シリンダー２８から外れるのを防ぐ。
【００１２】
図２ｂに示すように、各々の織物装置３０は、円柱状のネジ本体３２および織物３４を有する。ネジ本体３２は、モップ駆動装置２０に対応する各回転シリンダー２８に外接するように、装着孔３２ａを有する。織物３４は、ネジ本体３２に巻き付いている。
【００１３】
複数の第１環状リブ３２ｂは、等間隔で各々のネジ本体３２に装備されている。また、第２環状リブ３２ｄは、各々の第１環状リブ３２ｂよりも直径が短くて、第１環状リブ３２ｂの間に同心的に配置されている。さらに、溝３２ｃが、各々の第１および第２環状リブ３２ｂおよび３２ｄの一側面に形成されるために、細長い織物３４が、ネジ本体３２に螺旋状に巻き付いて、第１および第２環状リブ３２ｂおよび３２ｄの間に形成された経路の上を通る。これは、従来のネジと同様な方法である。
【００１４】
細長い織物３４が、各々のネジ本体３２に螺旋状に巻き付けられて、ネジ本体３２に取り付けられる際は、第２環状リブ３２ｄによって、前記織物３４が第１環状リブ３２ｂの間に深く挟み込まれるのを防ぐ。これによって、掃除をする面に接触する前記織物３４の表面積が低減するのを防止する。
【００１５】
各々の織物装置３０が図１の回転シリンダー２８に外接した後に、前記織物装置３０が、対応する各回転シリンダー２８から不本意に外されるのを防ぐために、ロック用孔（図示せず）が装着孔３２ａに装備されていて、各々の回転シリンダー２８のロック用突出部２８ｂが収容される。さらに、突出部３２ｅが、各々のネジ本体３２の端に装備されていて、各々の回転シリンダー２８のステップ２８ｃ内の対応する固定溝２８ｄと噛み合わされる。
【００１６】
しかしながら、従来のローラー型モップは以下の問題を有している。駆動側ベベルギア２２および前記駆動側ベベルギア２２と連動する被駆動側ベベルギア２５および２５’が回転すると、被駆動側ベベルギア２５および２５’に隣接する織物３４の一部が、駆動側ベベルギア２２の歯２２ｂまたは被駆動側ベベルギア２５および２５’の歯２５ａに巻き込まれ得る。
【００１７】
さらに、支持装置２４と駆動側ベベルギア２２は、支持装置２４の上部に装備されたスロット２４ａおよびステップ２４ｂを用いることによって、連結している。しかしながら、従来のローラー型モップの使用時には、力が支持装置２４の上部に間断無く働く。このとき、スロット２４ａ間のギャップが狭くなって、スロット２４ａの回復力が低減する。従って、ステップ２４ｂに支持されている駆動側ベベルギア２２は、支持装置２４から外れ得る。
【００１８】
一方では、糸モップが設計されていて、前記モップでは、もつれあった長い糸で製造された織物が、棒の下端に装備された留め具によって保持されている。糸モップは浸水してから汚れた場所を掃除する。糸モップで汚れた場所を掃除する際は、織物全体が同時に汚れる。そのために、汚れた場所を効果的に掃除するのは困難である。また、糸モップは、オフィスの床を掃除するために幅広く使用されているので急速に汚れる。さらに、糸モップの織物は大きいので、前記糸モップを洗って、絞るためには、補足的な道具が必要であった。
【００１９】
従来のローラー型モップでは、棒１０が、駆動側ベベルギア２２の外部と駆動側ベベルギア２２に装備された連結パイプ２２ａの間の取り付け孔に固定されている。前記駆動側ベベルギア２２には、棒状の支持装置２４の上部が挿入されている。従来のローラー型モップは、市販、使用、且つ、保管されている間、棒１０が駆動側ベベルギア２２の取り付け孔に固定されているために、支持装置２４などのモップ駆動装置２０の構成部品が故障した際、モップ駆動装置２０の構成部品を新しい部品と交換するのが困難であった。さらに、従来のローラー型モップは、容積が大きいために取り扱いが不便であった。
【００２０】
その上、各々の回転シリンダー２８は、回転軸部２６の上に外接していて、従来のローラー型モップの使用時にしばしば回転するので、回転シリンダー２８と対応する各被駆動側ベベルギア２５および２５’間に生じる連結力が低減し得た。この場合は、各々の回転シリンダー２８に外接した織物装置３０は、定位置に固定されず不本意に取り外され得る。
【発明の開示】
【発明が解決しようとする課題】
【００２１】
それ故に、本発明は、従来技術によって発生する上記問題点に鑑みて成された。本発明の目的は、織物装置が回転する際に織物が、駆動側ベベルギアの歯または被駆動側ベベルギアの歯の間に巻き込まれるのを防止するローラー型モップを提供することである。
【００２２】
本発明の他の目的は、モップを構成する幾つかの部品の間の連結力を高めるローラー型モップを提供することである。前記連結力としては、支持装置および駆動側ベベルギア間の連結力、回転軸部および回転シリンダー間の連結力などがある。
【００２３】
本発明の更なる目的は、糸モップの代用とすることができて、絞る装置を必要としないローラー型モップを提供することである。  
【００２４】
さらに、本発明の他の目的は、モップ駆動装置の構成部品が、容易に新しい部品と交換できて、モップ駆動装置が容易に保管および持ち運びができて、且つ、モップ駆動装置と棒の間の連結力を維持することができるように設計されたローラー型モップを提供することである。
【課題を解決するための手段】
【００２５】
上記の目的を達成するために、本発明は、以下のローラー型モップを提供する。前記モップは、円柱状の棒と、前記棒の下端に装着されたモップ駆動装置と、前記モップ駆動装置に着脱可能な状態で装着されていて、前記モップ駆動装置によって回転する織物装置とを有する。前記モップ駆動装置が、前記織物装置によって洗浄される面に平行に配置される円柱状の駆動側ベベルギアと、上部で前記駆動側ベベルギアを支持し、前記駆動側ベベルギアを前記円柱状の棒の回転によって回転させる支持装置と、前記支持装置の下部の中心部位を水平に通り抜ける回転軸部と、前記回転軸部の両側に各々外接する一対の回転シリンダーとを有する。各々の前記回転シリンダーが、一方の端部に、前記駆動側ベベルギアと噛み合うことによって駆動側ベベルギアと連動して操作される被駆動側ベベルギアを有し、他方の端部に、スロットを有する。前記織物装置が、ネジ本体の中心に沿って形成された装着孔によって、各々の前記回転シリンダーの外周に装着される円柱状のネジ本体と、前記ネジ本体の外周に取り付けられた織物とを有する。前記駆動側ベベルギアが複数の歯を有し、前記歯の上面が互いに連結していて、前記歯の間に織物が巻き込まれるのを防止する。
【００２６】
上記のような構造は、駆動側ベベルギアが回転する際に、前記駆動側ベベルギアの歯の間に織物が巻き込まれるのを防ぐ。
【００２７】
本発明の実施形態に係るローラー型モップのネジ本体が、各々が溝を有する複数の環状リブを有し、前記環状リブは、等間隔でネジ本体の外周に配置されていて、一方で、長い形状の織物が、前記ネジ本体の周囲に螺旋状に巻き付くことによって、前記ネジ本体に取り付けられている。前記支持装置は、その上端の中心に固定孔を有する。円柱状の前記駆動側ベベルギアが前記支持装置の上部に嵌め込まれて、ワッシャーが、駆動側ベベルギアの上端に配置された後に、ロック用ネジが前記固定孔に締め付けられて、前記駆動側ベベルギアが、支持装置へ回転できる状態で連結される。
【００２８】
このような構造は、駆動側ベベルギアと支持装置の間に連結力を生じさせて、ローラー型モップの使用時に駆動側ベベルギアが支持装置から外されるのを防ぐ。
【００２９】
本発明の他の実施形態のローラー型モップによると、駆動側ベベルギアが、下部から上部に向かって先細テーパになっていて、前記駆動側ベベルギアの上端に形成された複数のスロットが装備されている上方端部を有する。雄ネジ部が、複数の前記スロットの下に位置し、前記駆動側ベベルギアの外周に装備されている。前記駆動側ベベルギアの中心に円柱状の棒が挿入されていて、前記棒が、前記雄ネジ部と噛み合う雌ネジ部を内部に有する固定装置を用いて、前記駆動側ベベルギアと組み合わされている。
【００３０】
上記構造は、駆動側ベベルギアと棒の間に連結力を提供する。さらに、ローラー型モップの構造は、着脱可能なので、モップ駆動装置の部品を新しい部品と容易に交換できる。よって前記ローラー型モップは、保管および他の場所への移動が容易にできる。
【発明を実施するための最良の形態】
【００３１】
上記目的および他の目的、本発明の特徴およびその他の利点は、添付する図面に結びつけられた次に示す詳細な説明から、より明瞭に理解されるであろう。
【００３２】
ここにおいて図１は、従来のローラー型モップの一部を示す分解斜視図、図２ａは、図１のローラー型モップに含まれるモップ駆動装置の一部を示す分解斜視図、図２ｂは、図１のローラー型モップに含まれる織物装置の一部を示す分解斜視図、図３ａは、本発明の第一実施形態のローラー型モップに含まれるモップ駆動装置の一部を示す分解斜視図、図３ｂは、図３ａのローラー型モップに含まれる織物装置のネジ本体を示す斜視図、図３ｃは、図３ｂのネジ本体の織物保持孔に固定された織物を示す断面図、図４は、本発明の第２実施形態のローラー型モップの一部を示す分解斜視図、図５は、本発明の第３実施形態のローラー型モップの一部を示す分解斜視図、図６は、図５のローラー型モップに含まれるモップ駆動装置を示す分解斜視図、図７は、図５のローラー型モップの重要な構成部品を示す断面図である。
【００３３】
次に図面を参照されたい。ここにおいて、異なる図面に用いられた同様の参照符号は、同様または類似する構成部品を示す。
【００３４】
図３ａ〜図３ｃに示すように本発明の第一実施形態のローラー型モップは、その上端に柄を有する棒１００、前記棒１００の下端に装着されたモップ駆動装置１２０およびモップ駆動装置１２０に着脱可能な状態で装着されている織物装置１３０を有する。
【００３５】
モップ駆動装置１２０は、織物装置１３０が掃除する表面に対して平行に配置されている駆動側ベベルギア１２２を有している。支持装置１２４は、その上部で駆動側ベベルギア１２２を支えていて、棒１００の回転と共に駆動側ベベルギア１２２も回転する。回転軸部１２６は、支持装置１２４の下部の中心部位を水平に通り抜ける。
【００３６】
図３ａに示すように本発明のローラー型モップの駆動側ベベルギア１２２は、円柱状である。連結パイプ１２２ａは、駆動側ベベルギア１２２の中心部位に配置されて、複数の歯１２２ｂが駆動側ベベルギア１２２の下端の外周に装備されている。本発明によると、駆動側ベベルギア１２２は、歯１２２ｂの上面１２２ｃが互いに連結するために設けられていて、これは、従来の駆動側ベベルギアと異なる点である。このような構造は、駆動側ベベルギア１２２の周囲に存在する織物１３４の一部が、駆動側ベベルギア１２２が回転する際、駆動側ベベルギア１２２の歯１２２ｂの間に巻き込まれるのを防止する。
【００３７】
さらに、駆動側ベベルギア１２２は、支持装置１２４にロック用ネジを用いて固定される。詳細には、支持装置１２４の上端の中心部に固定孔１２４ａが装備されて、且つ、支持装置１２４の棒状の上端が、円柱状のベベルギア１２２の連結パイプ１２２ａに挿入されている。そして、ワッシャー１２３ａが、駆動側ベベルギア１２２の上端に配置されて、且つ、ボルト１２３ｂが、固定孔１２４ａに締め付けられているので、駆動側ベベルギア１２２は、支持装置１２４に固定されて、駆動側ベベルギア１２２の回転軸の周囲で回転する。ボルト１２３ｂが固定孔１２４ａに締め付けられる際には、バネ３２３ｃ（図６参照）が、ボルト１２３ｂとワッシャー１２３ａの間に介在し得る。このような構造は、駆動側ベベルギア１２２と支持装置１２４の間の連結力を提供して、ローラー型モップの使用の際、支持装置１２４が駆動側ベベルギア１２２から外れるのを防いで、その結果、棒１００が不意に回転するのを防止する。
【００３８】
さらに、一対の回転シリンダー１２８が、それぞれ回転軸部１２６の両端に外接していて、駆動側ベベルギア１２２と連動した織物装置１３０に回転力を伝動する。被駆動側ベベルギア１２５および１２５’が、各々の回転シリンダー１２８の一方の端部に装備されて、駆動側ベベルギア１２２と噛み合う。
【００３９】
各々の被駆動側ベベルギア１２５および１２５’に隣接する場所にステップ１２８ｃが装備されて、一対の固定溝１２８ｄが、ステップ１２８ｃの向かい合う場所に形成される。これによって、各々の織物装置１３０が対応する各回転シリンダー１２８から不本意に取り外されるのを防ぐ。２個のロック用凸部１２８ｅは、各々のステップ１２８ｃの上に、固定溝１２８ｄから９０度離れた場所に配置される。さらに、一対のスロット１２８ａおよびロック用突出部１２８ｂが、各々の回転シリンダー１２８の他方の端部に提供されている。スロット１２８ａによって、各々の織物装置１３０が、対応する各回転シリンダー１２８の上に容易に取り付けられて、ロック用突出部１２８ｂによって、各々の織物装置１３０が、対応する各回転シリンダー１２８から取り外されるのを防ぐ。
【００４０】
本発明によると、各々の回転シリンダー１２８における各々のスロット１２８ａの内側端部に台座が形成されて、金属物質からなる各々の回転軸部１２６の両端の一部が切断されて切込片１２６ａを形成する。切込片１２６ａは、プレスすることによって曲げられて前記台座に設置される。このような構造によって、回転シリンダー１２８は、回転軸部１２６の上にさらに確実に保持される。
【００４１】
図３ｂおよび図３ｃに示すように、各々の織物装置１３０は、従来の織物装置と類似する円柱状のネジ本体１３２および織物１３４を有する。この場合、複数の第一および第二環状リブ１３２ｂおよび１３２ｄは、ネジ本体１３２の外周に、等間隔で配置される。織物１３４は、ネジ本体１３２の周囲に螺旋状に巻き付いて、ネジ本体１３２に取り付けられる。
【００４２】
本発明によると、突出部１３２ｅが、ネジ本体１３２の装着孔１３２ａの内壁に装備されていて、各々が対応する保持溝１２８ｄと噛み合う。一対の前記保持溝１２８ｄは、各々の回転シリンダー１２８のステップ１２８ｃの向かい合う場所に配置されている。
【００４３】
上記の構造は、各々の回転シリンダー１２８と、対応する各られたネジ本体１３２の間に連結力を維持しながら、被駆動側ベベルギア１２５および１２５’を各々のネジ本体１３２の端に配置することができる。これは、突出部が、各々のネジ本体の外に向かって突き出している場合と異なる。従って、各々の被駆動側ベベルギア１２５および１２５’の周囲の織物１３４の一部が、被駆動側ベベルギア１２５および１２５’の歯１２５ａの間に巻き込まれることを防止して、双方の織物装置１３０の間隙を狭小する。これによって、使用者が効果的に掃除をすることができる。
【００４４】
本発明において、各々のネジ本体１３２の内部の端にロック用凹部１３２ｆが装備されて、各々の回転シリンダー１２８のステップ１２８ｃに装備されたロック用凸部１２８ｅを収容している。このような構造は、回転シリンダー１２８とそれに対応する織物装置１３０の間の連結力を増大させる。
【００４５】
一対の織物保持孔１３２ｇはそれぞれ、各々のネジ本体１３２の両端に装備されている。ロック用ボルト１３６を、各々の織物保持孔１３２ｇに締め付けることによって、各々の織物１３４が、対応する各られたネジ本体１３２に保持される。参照符号１３５はパッキングを示して、前記パッキングによって、織物１３４とネジ本体１３２が表面上で接触できる。これによって、織物１３４とネジ本体１３２の間の固定力が増大する。
【００４６】
本発明のローラー型モップの操作方法を、図３ａ〜図３ｃに関して、以下説明する。織物１３４は、細長い形状を有していて、各々の円柱状のネジ本体１３２へ螺旋状に巻き付いていて、その間、第１および第２のリブ１３２ｂおよび１３２ｄの間の経路を通り抜けている。このとき、図３ｃに示すように、織物１３４の端が、ネジ本体１３２の各々の織物保持孔１３２ｇに配置された後、織物１３４が、ロック用ボルト１３６によって、ネジ本体１３２に固定される。ロック用ボルト１３６を、パッキング１３５内に嵌め込んだ後、織物保持孔１３２ｇに締め付けた際、ネジ本体１３２、織物１３４およびパッキング１３５は互いに表面上で接触するためにそれらの間の固定力が増大する。その結果、各々の織物１３４が、対応する各られたネジ本体１３２から取り外されるのを防止する。
【００４７】
次に、各々の織物装置１３０は、モップ駆動装置１２０の対応する各回転シリンダー１２８に外接する。この場合、各々の織物装置１３０が対応する各回転シリンダー１２８に外接する際、各々の回転シリンダー１２８の他方の端部に装備されるスロット１２８ａ間のギャップが狭くなって、織物装置１３０が容易に回転シリンダー１２８に外接する。織物装置１３０の挿入が完了した後、スロット１２８ａが本来の形状に戻って、各々の回転シリンダー１２８におけるロック用突出部１２８ｂ、固定用溝１２８ｄおよびロック用凸部が、それぞれロック用孔（図示せず）、突出部１３２ｅおよびロック用凹部１３２ｆと噛み合う。このようにして、各々の織物装置１３０は、対応する各回転シリンダー１２８に保持される。
【００４８】
このような状態で、使用者は、汚れた床に織物１３４を接触させて、汚れた床を掃除する。これは従来のモップと同様な方法である。このような掃除操作中は、織物１３４の底部が汚れて、織物１３４の残りの部位は清潔に保たれる。各々の織物１３４の底部が汚れた際は、棒１００をその縦軸に沿って回転させることによって、織物装置１３０を回転させる。その結果、各々の織物１３４の清潔な部位が、掃除をすべき汚れた床と接触する。従って使用者は、織物１３４を新しい織物と交換すること無く継続して汚れた床を洗浄することができる。
【００４９】
各々の織物装置１３０は、以下のように回転する。棒１００が、その縦軸に沿って回転した際は、棒１００の下部に装着されたモップ駆動装置１２０の駆動側ベベルギア１２２も同じ方向に回転する。このとき、駆動側ベベルギア１２２と噛み合わされた被駆動側ベベルギア１２５および１２５’は、駆動側ベベルギア１２２と連動して、被駆動側ベベルギア１２５および１２５の回転軸の周りを回転する。一方で、被駆動側ベベルギア１２５および１２５’は、それぞれ、対応する回転シリンダー１２８の一方の端部に不可欠な部品として装備されているので、被駆動側ベベルギア１２５および１２５’が上記のように回転する際は、回転シリンダー１２８および回転軸部１２６も、被駆動側ベベルギア１２５および１２５の回転軸の周りを同時に回転する。従って、回転シリンダー１２８の上に外接した織物装置１３０も回転する。
【００５０】
掃除操作が成されたとき、上記のように構成された駆動側ベベルギア１２２の歯１２２ｂおよび各々のネジ本体１３２の内壁に装備されて、固定溝１２８ｄと噛み合わされた突出部１３２ｅは、各々の織物１３４が、駆動側ベベルギア１２２の歯１２２ｂの間あるいは、被駆動側ベベルギア１２５および１２５’の歯１２５ａの間に巻き込まれるのを防ぐ。さらに、回転シリンダー１２８におけるロック用突出部１２８ｂ、ロック用凸部１２８ｅおよび固定溝１２８ｄ、および、各々のネジ本体１３２のロック用孔、ロック用凹部１３２ｆおよび突出部１３２ｅは、いくつかの構成部品の間における連結力を増大する。従って、掃除操作中に前記部品がそれらの本来の位置から取り外されるのを防ぐ。
【００５１】
織物１３４全体が汚れたときは、各々の織物装置１３０を対応する各回転シリンダー１２８から取り外して、汚れを落とす。汚れを落とした織物１３４を有する各々の織物装置１３０は、対応する各回転シリンダー１２８に外接させて、再度使用する。さらに、本発明のローラー型モップによって使用者は、容易に、且つ、効果的に狭いスペースまたは床を掃除することができる。本発明の第１実施形態のローラー型モップは、水気を含むモップまたは乾燥したモップとして家庭で使用される。
【００５２】
本発明の第２実施形態のローラー型モップは、糸モップの代用品として、織物装置がモップ駆動装置に固定されるよう設計されている。前記第２実施形態を、図４に関して、下記に記す。この際、第１および第２実施形態における相違について述べる。第１および第２実施形態に共通する構成部品は、同様の参照符号を有する。
【００５３】
本発明の第２実施形態において、回転軸部２２６は、回転シリンダー１２８の全長より長い。従って、回転軸部２２６の両端は、回転シリンダー１２８の外に延びている。回転軸部２２６は、回転軸部２２６の各々の両端の外側を切断して、切込片２２６ａを形成する。さらに、固定用窪み２３２ｇがネジ本体２３２の端に装備されて、切込片２２６ａと対応する。
【００５４】
回転軸部２２６の長さと、各々のネジ本体２３２の長さを調節して、各々の織物装置２３０が、モップ駆動装置１２０の対応する各回転シリンダー１２８に外接する際、回転軸部２２６の両端は、各々のネジ本体２３２の外端に対応する。その後、回転軸部２２６の切込片２２６ａがプレスすることによって曲げられて、対応する各ネジ本体２３２の固定用窪み２３２ｇに設置される。このような構造によって各々の織物装置２３０が、回転軸部２２６および対応する各回転シリンダー１２８の双方に固定される。
【００５５】
図４に示すように、各々のネジ本体２３２の両端２３２ｂおよび２３２ｃに装備される環状リブの間に形成された溝は、ネジ本体２３２の残部に装備される環状リブの間に形成される溝よりも深くても良い。即ち、比較的に長い糸からなる織物２３４が、各々のネジ本体２３２の周囲に螺旋状に巻き付いて、糸モップに代用する際は、織物２３４は、ネジ本体２３２の両端に深く挿入される。従って、織物２３４が糸モップと同様にその形状が長くても駆動側ベベルギア１２２または被駆動側ベベルギア１２５および１２５’の中に巻き込まれるを防いで、織物２３４がほどけるのを防止する。
【００５６】
第２実施形態の各々のネジ本体２３２の直径が、第１実施形態のネジ本体１３２の直径よりも長くても良い。このような構造は、織物装置２３０の表面積を増大することができるので、オフィスなどの大きなスペースを掃除するのに好適である。参照符号２３２ｆはロック用窪みを指す。前記ロック用窪みは、各々のステップ１２８ｃのロック用凸部１２８ｅを収容して、各々の回転シリンダー１２８と対応する各織物装置２３０の間の連結力を増大させる。
【００５７】
第２実施形態の長い糸を有するローラー型モップが、糸モップに代用される際は、掃除をする床に接触している各々の織物２３４の一部のみが汚れる。このとき、織物装置２３０は回転して、織物２３４の汚れた部位を清潔な部位に交換する。これは第一実施形態の方法と同様であって、使用者が床を継続的に洗浄することができる。
【００５８】
さらに、第２実施形態のローラー型モップは、各々の織物２３４が、駆動側ベベルギア１２２または被駆動側ベベルギア１２５および１２５’の中に巻き込まれるを防ぐ。加えて、第２実施形態のローラー型モップは、絞るための補足的な道具無しで、容易に絞ることができて、これは従来の糸モップと異なる。詳細には、第２実施形態のローラー型モップは、織物装置２３０が回転する間、使用者が足で双方の織物装置２３０をプレスすると、各々の織物２３４は使用者の重みによって容易に絞られるという構造を有している。
【００５９】
図５〜７は、本発明の第３実施形態のローラー型モップを示す。図５〜７に示す第３実施形態のローラー型モップでは、駆動側ベベルギア３２２の上部の円柱が、第１および第２のそれよりも長い。駆動側ベベルギア３２２の上方端部が、下部から上部に向かって先細テーパになっていて、前記駆動側ベベルギア３２２の上端に形成された複数のスロット３２２ｅが装備されている。さらに、雄ネジ部３２２ｆが複数の前記スロット３２２ｅの下で、前記駆動側ベベルギア３２２の外周に装備されている。固定装置３４０は、その内周に雌ネジ部（図示せず）を有していて、駆動側ベベルギア３２２の雄ネジ部３２２ｆと噛み合っている。そして、前記固定装置３４０は、駆動側ベベルギア３２２の上部に固定されている。
【００６０】
棒４００の下端は、連結パイプ３２２ａと駆動側ベベルギア３２２の最外部の間に装備された取り付け孔３２２ｄに取り付けられる。このとき、駆動側ベベルギア３２２の上端は、その下部から上部に向かって先細テーパになっていて、複数のスロット３２２ｅが装備されている。従って、棒４００は、スロット３２２ｅの伸縮性によって、駆動側ベベルギア３２２の中に容易に取り付けられて、一方で、棒４００が駆動側ベベルギア３２２から不意に取り外されるのを防ぐ。さらに、固定装置３４０は、駆動側ベベルギア３２２の上部に固定されて、棒４００と駆動側ベベルギア３２２の間の連結力を増大する。
【００６１】
第３実施形態のローラー型モップは、必要なときに棒４００が駆動側ベベルギア３２２から容易に切り離されるように構成されているために、第１および第２実施形態のローラー型モップと異なり、第３実施形態のローラー型モップの構成部品は、支持装置３２４および回転シリンダー３２８を含むモップ駆動装置３２０の構成部品が故障した際、新しい部品と容易に交換できる。さらに、前記ローラー型モップは、モップ駆動装置３２０から棒４００を離した後に、市販、他の場所への移動、および保管がなされるので、取り扱いが容易である。
【００６２】
第３実施形態のローラー型モップは、回転軸部３２６の上に回転シリンダー３２８を外接する際には、被駆動側ベベルギア３２５が、回転軸部３２６の両側に取り付けられる。次に、回転シリンダー３２８が、回転軸部３２６に外接する前に、バネ３２９を、各々の回転シリンダー３２８と対応する各被駆動側ベベルギア３２５の間に介在させる。回転軸部３２６の切込片３２６ａは、プレスすることによって曲げられて、各々の回転シリンダー３２８のスロット３２８ａの内側端部の台座に設置される。このような構造は、ローラー型モップが長期間使用された後でも、回転軸部３２６および回転シリンダー３２８の間の連結力が、低減するのを防止する。従って、織物装置３３０が、対応する回転シリンダー３２８から外れるのを防ぐ。
【産業上の利用可能性】
【００６３】
上記で述べたように、本発明は、ローラー型モップで、改良された形状を有する駆動側ベベルギアおよびネジ本体を有して、駆動側ベベルギアの歯または被駆動側ベベルギアの歯の間に織物が巻き込まれるのを防止するローラー型モップを提供する。
【００６４】
本発明のローラー型モップは、支持装置と駆動側ベベルギアの間、回転軸部と回転シリンダーの間および回転シリンダーと織物装置の間の連結力を増大させる。
【００６５】
本発明は、補足的な絞り用装置無しで、糸モップの代用となるローラー型モップを提供する。
【００６６】
本発明は、改良された形状の駆動側ベベルギアに加えて固定装置を有するローラー型モップを提供するので、モップ駆動装置と棒の間の連結力を増大する。さらに、前記ローラー型モップは、必要な際に、棒がモップ駆動装置から容易に切り離されるように設計されている。従って、支持装置および回転シリンダーなどのモップ駆動装置の構成部品が、故障した際には、故障した部品と新しい部品を交換することができる。さらに、ローラー型モップは、他の場所への移動、保管および取り扱いが容易である。
【００６７】
駆動側ベベルギアが、ネジ型固定方法によって支持装置に固定されて、回転シリンダーが回転軸部に外接する際は、駆動側ベベルギアと支持装置の間、および回転シリンダーと対応する各被駆動側ベベルギアの間にそれぞれバネが介在する。従って、上記の構成部品の間の連結力が増大する。
【００６８】
本発明の好ましい実施形態が、説明のために開示されたが、この分野の技術に熟練した者にとっては、添付する請求項に開示された発明の範囲および精神から逸脱することなく、種々の変更、付加および代替が可能であることは容易に理解される。
【図面の簡単な説明】
【００６９】
【図１】図１は、従来のローラー型モップの一部を示す分解斜視図である。
【図２ａ】図２ａは、図１のローラー型モップに含まれるモップ駆動装置の一部を示す分解斜視図である。
【図２ｂ】図２ｂは、図１のローラー型モップに含まれる織物装置の一部を示す分解斜視図である。
【図３ａ】図３ａは、本発明の第一実施形態のローラー型モップに含まれるモップ駆動装置の一部を示す分解斜視図である。
【図３ｂ】図３ｂは、図３ａのローラー型モップに含まれる織物装置のネジ本体を示す斜視図である。
【図３ｃ】図３ｃは、図３ｂのネジ本体の織物保持孔に固定された織物を示す断面図である。
【図４】図４は、本発明の第２実施形態のローラー型モップの一部を示す分解斜視図である。
【図５】図５は、本発明の第３実施形態のローラー型モップの一部を示す分解斜視図である。
【図６】図６は、図５のローラー型モップに含まれるモップ駆動装置を示す分解斜視図である。
【図７】図７は、図５のローラー型モップの重要な構成部品を示す断面図である。
【図１】
2005528191.tif 000003
【図２ａ】
2005528191.tif 000004
【図２ｂ】
2005528191.tif 000005
【図３ａ】
2005528191.tif 000006
【図３ｂ】
2005528191.tif 000007
【図３ｃ】
2005528191.tif 000008
【図４】
2005528191.tif 000009
【図５】
2005528191.tif 000010
【図６】
2005528191.tif 000011
【図７】
2005528191.tif 000012
【国際調査報告】
2005528191.tif 000013